(57)【要約】  基地局とも通信するときに、中継器自己干渉を緩和するように、デバイスに割り当てるための複数のリソースを選択することを含む方法および装置を提供する。複数のリソースは、基地局とネゴシエートされた複数のリソースに基づいて、または基地局からの割振りのためには望まれないとして示された複数のリソースに基づいてなど、１つまたは複数のファクタに基づいて選択され得る。他の例では、基準信号と制御データとが、同様に中継器自己干渉を緩和するように通信され得る。【選択図】図１１
2013542642.tif 000002
【特許請求の範囲】
【請求項１】
全二重中継器におけるワイヤレス通信の方法であって、
基地局から複数の第１の信号を受信するために、サブフレーム上のキャリア内の複数のリソースの第１のセットの割振りを受信することと、
デバイスと通信するために、複数のリソースの前記第１のセットとの自己干渉を緩和する、前記サブフレーム上の前記キャリア内の複数のリソースの第２のセットを選択することと、
複数のリソースの前記第２のセット上で前記デバイスへ複数の第２の信号を送信することと
を備える、方法。
【請求項２】
前記基地局からのデータ受信が望まれないリソースのセットを前記基地局に示すことをさらに備え、複数のリソースの前記第２のセットを前記選択することが、複数のリソースのセットから複数のリソースの前記第２のセットを選択することを備える、請求項１に記載の方法。
【請求項３】
前記示すことが、しきい値チャネル品質インジケータ（ＣＱＩ）レベルを下回るＣＱＩ値を示す、複数のリソースの前記セットについてのＣＱＩ報告を送ることを備える、請求項２に記載の方法。
【請求項４】
前記サブフレーム中で前記基地局からＵＥ固有基準信号を受信することと、
前記ＵＥ固有基準信号を使用して、複数のリソースの前記第１のセット上で受信された通信を復号することと
をさらに備える、請求項１に記載の方法。
【請求項５】
セル固有基準信号との衝突を回避するために、第２のサブフレームをマルチメディアブロードキャストオーバー単一周波数ネットワーク（ＭＢＳＦＮ）サブフレームとして宣言することと、
前記第２のサブフレーム内で前記基地局から前記セル固有基準信号を受信することと
をさらに備える、請求項１に記載の方法。
【請求項６】
複数のリソースの前記第１のセット上で制御データを受信することをさらに備え、前記複数の第２の信号を前記送信することが、複数のリソースの前記第１のセット上で受信される前記制御データよりも低いアグリゲーションレベルを使用して前記制御データを送信することを備える、請求項１に記載の方法。
【請求項７】
複数のリソースの前記第１のセットの前記割振りを前記受信することが、周波数分割多重（ＦＤＭ）制御領域において前記割振りを受信することを備える、請求項１に記載の方法。
【請求項８】
前記ＦＤＭ制御領域が中継器物理ダウンリンク制御チャネル（Ｒ−ＰＤＣＣＨ）である、請求項７に記載の方法。
【請求項９】
複数のリソースの前記第１のセットが半静的に割り当てられ、前記選択することが、複数のリソースの前記第１のセットと重複しない複数のリソースの前記第２のセットを選択することを備える、請求項１に記載の方法。
【請求項１０】
全二重中継器におけるワイヤレス通信のための装置であって、
基地局から第１の信号を受信するために、サブフレーム上のキャリア内の複数のリソースの第１のセットの割振りを受信することと、
デバイスと通信するために、複数のリソースの前記第１のセットとの自己干渉を緩和する、前記サブフレーム上の前記キャリア内の複数のリソースの第２のセットを選択することと、
複数のリソースの前記第２のセット上で前記デバイスへ第２の信号を送信することと
を行うように構成された少なくとも１つのプロセッサと、
前記少なくとも１つのプロセッサに結合されたメモリと
を備える、装置。
【請求項１１】
前記少なくとも１つのプロセッサは、前記基地局からのデータ受信が望まれない複数のリソースのセットを前記基地局に示すようにさらに構成され、前記少なくとも１つのプロセッサが複数のリソースの前記セットから複数のリソースの前記第２のセットを選択する、請求項１０に記載の装置。
【請求項１２】
前記少なくとも１つのプロセッサは、少なくとも部分的にしきい値チャネル品質インジケータ（ＣＱＩ）レベルを下回るＣＱＩ値を示す、複数のリソースの前記セットについてのＣＱＩ報告を送ることによって複数のリソースの前記セットを示す、請求項１１に記載の装置。
【請求項１３】
前記少なくとも１つのプロセッサが、
前記サブフレーム中で前記基地局からＵＥ固有基準信号を受信することと、
前記ＵＥ固有基準信号を使用して、複数のリソースの前記第１のセット上で受信された通信を復号することと
を行うようにさらに構成された、請求項１０に記載の装置。
【請求項１４】
前記少なくとも１つのプロセッサが、
セル固有基準信号との衝突を回避するために、第２のサブフレームをマルチメディアブロードキャストオーバー単一周波数ネットワーク（ＭＢＳＦＮ）サブフレームとして宣言することと、
前記第２のサブフレーム内で前記基地局から前記セル固有基準信号を受信することと
を行うようにさらに構成された、請求項１０に記載の装置。
【請求項１５】
前記少なくとも１つのプロセッサが周波数分割多重（ＦＤＭ）制御領域において前記割振りを受信する、請求項１０に記載の装置。
【請求項１６】
前記ＦＤＭ制御領域が中継器物理ダウンリンク制御チャネル（Ｒ−ＰＤＣＣＨ）である、請求項１５に記載の装置。
【請求項１７】
前記少なくとも１つのプロセッサが、複数のリソースの前記第１のセット上で制御データを受信するようにさらに構成され、前記少なくとも１つのプロセッサが複数のリソースの前記第１のセット上で受信される前記制御データよりも低いアグリゲーションレベルを使用して、前記複数の第２の信号中で前記制御データを送信する、請求項１０に記載の装置。
【請求項１８】
全二重中継器におけるワイヤレス通信のための装置であって、
基地局から第１の信号を受信するために、サブフレーム上のキャリア内の複数のリソースの第１のセットの割振りを受信する手段と、
デバイスと通信するために、複数のリソースの前記第１のセットとの自己干渉を緩和する、前記サブフレーム上の前記キャリア内の複数のリソースの第２のセットを選択する手段と、
複数のリソースの前記第２のセット上で前記デバイスへ第２の信号を送信する手段と
を備える、装置。
【請求項１９】
前記基地局からのデータ受信が望まれない複数のリソースのセットを前記基地局に示す手段をさらに備え、選択するための前記手段が複数のリソースの前記セットから複数のリソースの前記第２のセットを選択する、請求項１８に記載の装置。
【請求項２０】
示すための前記手段が、しきい値チャネル品質インジケータ（ＣＱＩ）レベルを下回るＣＱＩ値を示す、複数のリソースの前記セットについてのＣＱＩ報告を送る、請求項１９に記載の装置。
【請求項２１】
前記サブフレーム中で前記基地局から、複数のリソースの前記第１のセット上で受信された通信を復号するためのＵＥ固有基準信号を受信する手段をさらに備える、請求項１８に記載の装置。
【請求項２２】
セル固有基準信号との衝突を回避するために、第２のサブフレームをマルチメディアブロードキャストオーバー単一周波数ネットワーク（ＭＢＳＦＮ）サブフレームとして宣言する手段をさらに備え、受信するための前記手段が、前記第２のサブフレーム内で前記基地局から前記セル固有基準信号を受信する、請求項１８に記載の装置。
【請求項２３】
受信するための前記手段が、周波数分割多重（ＦＤＭ）制御領域において前記割振りを受信する、請求項１８に記載の装置。
【請求項２４】
前記ＦＤＭ制御領域が中継器物理ダウンリンク制御チャネル（Ｒ−ＰＤＣＣＨ）である、請求項２３に記載の装置。
【請求項２５】
前記制御データが受信される信号のために使用されるよりも低いアグリゲーションレベルを使用して制御データをアグリゲートする手段をさらに備え、送信するための前記手段が複数のリソースの前記第１のセット上で前記基地局から前記制御データを受信し、複数のリソースの前記第２のセット上で前記より低いアグリゲーションレベルをもつ前記制御データを送信する、請求項１８に記載の装置。
【請求項２６】
全二重中継器におけるワイヤレス通信のためのコンピュータプログラム製品であって、
基地局から第１の信号を受信するために、サブフレーム上のキャリア内の複数のリソースの第１のセットの割振りを受信することを少なくとも１つのコンピュータに行わせるコードと、
デバイスと通信するために、複数のリソースの前記第１のセットとの自己干渉を緩和する、前記サブフレーム上の前記キャリア内の複数のリソースの第２のセットを選択することを前記少なくとも１つのコンピュータに行わせるコードと、
複数のリソースの前記第２のセット上で前記デバイスへ第２の信号を送信することを前記少なくとも１つのコンピュータに行わせるコードと
を備える、コンピュータ可読媒体
を備える、コンピュータプログラム製品。
【請求項２７】
前記コンピュータ可読媒体が、前記基地局からのデータ受信が望まれない複数のリソースのセットを前記基地局に示すことを前記少なくとも１つのコンピュータに行わせるコードをさらに備え、選択することを前記少なくとも１つのコンピュータに行わせる前記コードが、複数のリソースの前記セットから複数のリソースの前記第２のセットを選択する、請求項２６に記載のコンピュータプログラム製品。
【請求項２８】
示すことを前記少なくとも１つのコンピュータに行わせる前記コードが、しきい値チャネル品質インジケータ（ＣＱＩ）レベルを下回るＣＱＩ値を示す、複数のリソースの前記セットについてのＣＱＩ報告を送る、請求項２７に記載のコンピュータプログラム製品。
【請求項２９】
前記コンピュータ可読媒体が、
前記サブフレーム中で前記基地局からＵＥ固有基準信号を受信することを前記少なくとも１つのコンピュータに行わせるコードと、
前記ＵＥ固有基準信号を使用して、複数のリソースの前記第１のセット上で受信された通信を復号することを前記少なくとも１つのコンピュータに行わせるコードと
をさらに備える、請求項２６に記載のコンピュータプログラム製品。
【請求項３０】
前記コンピュータ可読媒体が、
セル固有基準信号との衝突を回避するために、第２のサブフレームをマルチメディアブロードキャストオーバー単一周波数ネットワーク（ＭＢＳＦＮ）サブフレームとして宣言することを前記少なくとも１つのコンピュータに行わせるコードと、
前記第２のサブフレーム内で前記基地局から前記セル固有基準信号を受信することを前記少なくとも１つのコンピュータに行わせるコードと
をさらに備える、請求項２６に記載のコンピュータプログラム製品。
【請求項３１】
受信することを前記少なくとも１つのコンピュータに行わせる前記コードが、周波数分割多重（ＦＤＭ）制御領域において前記割振りを受信する、請求項２６に記載のコンピュータプログラム製品。
【請求項３２】
前記ＦＤＭ制御領域が中継器物理ダウンリンク制御チャネル（Ｒ−ＰＤＣＣＨ）である、請求項３１に記載のコンピュータプログラム製品。
【請求項３３】
前記コンピュータ可読媒体が、複数のリソースの前記第１のセット上で制御データを受信することを前記少なくとも１つのコンピュータに行わせるコードをさらに備え、送信することを前記少なくとも１つのコンピュータに行わせる前記コードが、複数のリソースの前記第１のセット上で受信される前記制御データよりも低いアグリゲーションレベルを使用して、前記複数の第２の信号中で前記制御データを送信する、請求項２６に記載のコンピュータプログラム製品。
【請求項３４】
全二重中継器におけるワイヤレス通信のための装置であって、
基地局から第１の信号を受信するために、サブフレーム上のキャリア内の複数のリソースの第１のセットの割振りを受信するための複数のリソース割振り受信コンポーネントと、
デバイスと通信するために、複数のリソースの前記第１のセットとの自己干渉を緩和する、前記サブフレーム上の前記キャリア内の複数のリソースの第２のセットを選択するためのデバイスリソース割振りコンポーネントと、
複数のリソースの前記第２のセット上で前記デバイスへ第２の信号を送信するための通信コンポーネントと
を備える、装置。
【請求項３５】
前記基地局からのデータ受信が望まれない複数のリソースのセットを前記基地局に示すためのコンポーネントをさらに備え、前記デバイスリソース割振りコンポーネントが、複数のリソースの前記セットから複数のリソースの前記第２のセットを選択する、請求項３４に記載の装置。
【請求項３６】
前記コンポーネントが、しきい値チャネル品質インジケータ（ＣＱＩ）レベルを下回るＣＱＩ値を示す、複数のリソースの前記セットについてのＣＱＩ報告を送るリソース割振り影響コンポーネントである、請求項３５に記載の装置。
【請求項３７】
前記サブフレーム中で前記基地局から、複数のリソースの前記第１のセット上で受信された通信を復号するためのＵＥ固有基準信号を受信するための基準信号受信コンポーネントをさらに備える、請求項３４に記載の装置。
【請求項３８】
セル固有基準信号との衝突を回避するために、第２のサブフレームをマルチメディアブロードキャストオーバー単一周波数ネットワーク（ＭＢＳＦＮ）サブフレームとして宣言し、前記第２のサブフレーム内で前記基地局から前記セル固有基準信号を受信するための基準信号受信コンポーネントをさらに備える、請求項３４に記載の装置。
【請求項３９】
前記リソース割振り受信コンポーネントが、周波数分割多重（ＦＤＭ）制御領域において前記割振りを受信する、請求項３４に記載の装置。
【請求項４０】
前記ＦＤＭ制御領域が中継器物理ダウンリンク制御チャネル（Ｒ−ＰＤＣＣＨ）である、請求項３９に記載の装置。
【請求項４１】
複数のリソースの前記第１のセット上で受信される前記制御データよりも低いアグリゲーションレベルを使用して、複数のリソースの前記第２のセット上での送信のために制御データをアグリゲートするための制御データアグリゲートコンポーネントをさらに備え、前記通信コンポーネントが、複数のリソースの前記第１のセット上で前記基地局から制御データを受信する、請求項３４に記載の装置。
【請求項４２】
全二重中継器におけるワイヤレス通信の方法であって、
基地局に信号を送信するために、サブフレーム上のキャリア内の複数のリソースの第１のセットの割振りを前記基地局から受信することと、
デバイスから信号を受信するために、複数のリソースの前記第１のセットとの自己干渉を緩和する、前記サブフレーム上の前記キャリア内の複数のリソースの第２のセットを選択することと、
複数のリソースの前記第２のセットを前記デバイスに割り振ることと
を備える、方法。
【請求項４３】
前記基地局へのデータ送信のための割当てが望まれない複数のリソースのセットを示すことをさらに備え、複数のリソースの前記第２のセットを前記選択することが、複数のリソースの前記セットから複数のリソースの前記第２のセットを選択することを備える、請求項４２に記載の方法。
【請求項４４】
前記示すことが、複数のリソースの前記セット上で、しきい値レベルを下回る信号電力をもつサウンディング基準信号（ＳＲＳ）送信を送ることを備える、請求項４３に記載の方法。
【請求項４５】
複数のリソースの前記第１のセット上で第１の基準信号を送信することをさらに備え、第２の基準信号が複数のリソースの前記第２のセット上で受信される、請求項４２に記載の方法。
【請求項４６】
前記第１の基準信号を符号化するために、前記第２の基準信号を符号化するために使用されるＺａｄｏｆｆ−Ｃｈｕシーケンスまたは位相回転とは異なるＺａｄｏｆｆ−Ｃｈｕシーケンスまたは位相回転を利用することをさらに備える、請求項４５に記載の方法。
【請求項４７】
前記第１の基準信号との衝突を緩和する前記第２の基準信号のためのホッピングパターンを前記デバイスに割り当てることをさらに備える、請求項４５に記載の方法。
【請求項４８】
複数のリソースの前記第１のセットが第１の制御チャネルに対応し、複数のリソースの前記第２のセットが第２の制御チャネルに対応する、請求項４２に記載の方法。
【請求項４９】
前記選択することが、複数のリソースの前記第１のセットと重複しない、オーバープロビジョニングされた制御領域の部分から複数のリソースの前記第２のセットを選択することを備える、請求項４８に記載の方法。
【請求項５０】
共有データチャネル領域上で前記デバイスから制御データを受信することをさらに備え、前記選択することが、前記共有データチャネル領域内の複数のリソースの前記第２のセットを選択することを備える、請求項４８に記載の方法。
【請求項５１】
全二重中継器におけるワイヤレス通信のための装置であって、
基地局に信号を送信するために、サブフレーム上のキャリア内の複数のリソースの第１のセットの割振りを前記基地局から受信することと、
デバイスから信号を受信するために、複数のリソースの前記第１のセットとの自己干渉を緩和する、前記サブフレーム上の前記キャリア内の複数のリソースの第２のセットを選択することと、
複数のリソースの前記第２のセットを前記デバイスに割り振ることと
を行うように構成された少なくとも１つのプロセッサと、
前記少なくとも１つのプロセッサに結合されたメモリと
を備える、装置。
【請求項５２】
前記少なくとも１つのプロセッサは、前記基地局へのデータ送信のための割当てが望まれない複数のリソースのセットを前記基地局に示すようにさらに構成され、前記少なくとも１つのプロセッサが複数のリソースの前記セットから複数のリソースの前記第２のセットを選択する、請求項５１に記載の装置。
【請求項５３】
前記少なくとも１つのプロセッサが、少なくとも部分的に、複数のリソースの前記セット上で、しきい値レベルを下回る信号電力をもつサウンディング基準信号（ＳＲＳ）送信を送ることによって複数のリソースの前記セットを示す、請求項５２に記載の装置。
【請求項５４】
前記少なくとも１つのプロセッサが、複数のリソースの前記第１のセット上で第１の基準信号を送信するようにさらに構成され、第２の基準信号が複数のリソースの前記第２のセット上で受信される、請求項５１に記載の装置。
【請求項５５】
前記少なくとも１つのプロセッサが、前記第１の基準信号を符号化するために、前記第２の基準信号を符号化するために使用されるＺａｄｏｆｆ−Ｃｈｕシーケンスまたは位相回転とは異なるＺａｄｏｆｆ−Ｃｈｕシーケンスまたは位相回転を利用するようにさらに構成された、請求項５４に記載の装置。
【請求項５６】
前記少なくとも１つのプロセッサが、前記第１の基準信号との衝突を緩和する前記第２の基準信号のためのホッピングパターンを前記デバイスに割り当てるようにさらに構成された、請求項５４に記載の装置。
【請求項５７】
複数のリソースの前記第１のセットが第１の制御チャネルに対応し、複数のリソースの前記第２のセットが第２の制御チャネルに対応する、請求項５１に記載の装置。
【請求項５８】
前記少なくとも１つのプロセッサが、複数のリソースの前記第１のセットと重複しない、オーバープロビジョニングされた制御領域の部分から複数のリソースの前記第２のセットを選択する、請求項５７に記載の装置。
【請求項５９】
前記少なくとも１つのプロセッサが、前記共有データチャネル領域内の複数のリソースの前記第２のセットを選択する、請求項５７に記載の装置。
【請求項６０】
全二重中継器におけるワイヤレス通信のための装置であって、
基地局に信号を送信するために、サブフレーム上のキャリア内の複数のリソースの第１のセットの割振りを前記基地局から受信する手段と、
デバイスから信号を受信するために、複数のリソースの前記第１のセットとの自己干渉を緩和する、前記サブフレーム上の前記キャリア内の複数のリソースの第２のセットを選択し、複数のリソースの前記第２のセットを前記デバイスに割り振る手段と
を備える、装置。
【請求項６１】
前記基地局へのデータ送信のための割当てが望まれない複数のリソースのセットを示す手段をさらに備え、選択するための前記手段が、複数のリソースの前記セットから複数のリソースの前記第２のセットを選択することを備える、請求項６０に記載の装置。
【請求項６２】
示すための前記手段が、複数のリソースの前記セット上で、しきい値レベルを下回る信号電力をもつサウンディング基準信号（ＳＲＳ）送信を送る、請求項６１に記載の装置。
【請求項６３】
複数のリソースの前記第１のセット上で第１の基準信号を送信する手段をさらに備え、第２の基準信号が複数のリソースの前記第２のセット上で受信される、請求項６０に記載の装置。
【請求項６４】
前記第１の基準信号を符号化するために、前記第２の基準信号を符号化するために使用されるＺａｄｏｆｆ−Ｃｈｕシーケンスまたは位相回転とは異なるＺａｄｏｆｆ−Ｃｈｕシーケンスまたは位相回転を利用する手段をさらに備える、請求項６３に記載の装置。
【請求項６５】
前記第１の基準信号との衝突を緩和する前記第２の基準信号のためのホッピングパターンを前記デバイスに割り当てる手段をさらに備える、請求項６３に記載の装置。
【請求項６６】
複数のリソースの前記第１のセットが第１の制御チャネルに対応し、複数のリソースの前記第２のセットが第２の制御チャネルに対応する、請求項６０に記載の装置。
【請求項６７】
選択するための前記手段が、複数のリソースの前記第１のセットと重複しない、オーバープロビジョニングされた制御領域の部分から複数のリソースの前記第２のセットを選択する、請求項６６に記載の装置。
【請求項６８】
共有データチャネル領域上で前記デバイスから制御データを受信する手段をさらに備え、選択するための前記手段が、前記共有データチャネル領域内の複数のリソースの前記第２のセットを選択する、請求項６６に記載の装置。
【請求項６９】
全二重中継器におけるワイヤレス通信のためのコンピュータプログラム製品であって、
基地局に信号を送信するために、サブフレーム上のキャリア内の複数のリソースの第１のセットの割振りを前記基地局から受信することを少なくとも１つのコンピュータに行わせるコードと、
デバイスから信号を受信するために、複数のリソースの前記第１のセットとの自己干渉を緩和する、前記サブフレーム上の前記キャリア内の複数のリソースの第２のセットを選択することを前記少なくとも１つのコンピュータに行わせるコードと、
複数のリソースの前記第２のセットを前記デバイスに割り振ることを前記少なくとも１つのコンピュータに行わせるコードと
を備える、コンピュータ可読媒体
を備える、コンピュータプログラム製品。
【請求項７０】
前記コンピュータ可読媒体が、前記基地局へのデータ送信のための割当てが望まれない複数のリソースのセットを前記基地局に示すことを前記少なくとも１つのコンピュータに行わせるコードをさらに備え、選択することを前記少なくとも１つのコンピュータに行わせる前記コードが、複数のリソースの前記セットから複数のリソースの前記第２のセットを選択する、請求項６９に記載のコンピュータプログラム製品。
【請求項７１】
示すことを前記少なくとも１つのコンピュータに行わせる前記コードが、複数のリソースの前記セット上で、しきい値レベルを下回る信号電力をもつサウンディング基準信号（ＳＲＳ）送信を送る、請求項７０に記載のコンピュータプログラム製品。
【請求項７２】
前記コンピュータ可読媒体が、複数のリソースの前記第１のセット上で第１の基準信号を送信することを前記少なくとも１つのコンピュータに行わせるコードをさらに備え、第２の基準信号が複数のリソースの前記第２のセット上で受信される、請求項６９に記載のコンピュータプログラム製品。
【請求項７３】
前記コンピュータ可読媒体が、前記第１の基準信号を符号化するために、前記第２の基準信号を符号化するために使用されるＺａｄｏｆｆ−Ｃｈｕシーケンスまたは位相回転とは異なるＺａｄｏｆｆ−Ｃｈｕシーケンスまたは位相回転を利用することを前記少なくとも１つのコンピュータに行わせるコードをさらに備える、請求項７２に記載のコンピュータプログラム製品。
【請求項７４】
前記コンピュータ可読媒体が、前記第１の基準信号との衝突を緩和する前記第２の基準信号のためのホッピングパターンを前記デバイスに割り当てることを前記少なくとも１つのコンピュータに行わせるコードをさらに備える、請求項７２に記載のコンピュータプログラム製品。
【請求項７５】
複数のリソースの前記第１のセットが第１の制御チャネルに対応し、複数のリソースの前記第２のセットが第２の制御チャネルに対応する、請求項６９に記載のコンピュータプログラム製品。
【請求項７６】
選択することを前記少なくとも１つのコンピュータに行わせる前記コードが、複数のリソースの前記第１のセットと重複しない、オーバープロビジョニングされた制御領域の部分から複数のリソースの前記第２のセットを選択する、請求項７５に記載のコンピュータプログラム製品。
【請求項７７】
選択することを前記少なくとも１つのコンピュータに行わせる前記コードが、前記共有データチャネル領域内の複数のリソースの前記第２のセットを選択する、請求項７５に記載のコンピュータプログラム製品。
【請求項７８】
全二重中継器におけるワイヤレス通信のための装置であって、
基地局に信号を送信するために、サブフレーム上のキャリア内の複数のリソースの第１のセットの割振りを前記基地局から受信するためのリソース割振り受信コンポーネントと、
デバイスから信号を受信するために、複数のリソースの前記第１のセットとの自己干渉を緩和する、前記サブフレーム上の前記キャリア内の複数のリソースの第２のセットを選択し、複数のリソースの前記第２のセットを前記デバイスに割り振るためのコンポーネントと
を備える、装置。
【請求項７９】
前記基地局へのデータ送信のための割当てが望まれない複数のリソースのセットを示すための別のコンポーネントをさらに備え、前記コンポーネントが、複数のリソースの前記セットから複数のリソースの前記第２のセットを選択するデバイスリソース割振りコンポーネントである、請求項７８に記載の装置。
【請求項８０】
示すための前記別のコンポーネントが、複数のリソースの前記セット上で、しきい値レベルを下回る信号電力をもつサウンディング基準信号（ＳＲＳ）送信を送るリソース割振り影響コンポーネントである、請求項７９に記載の装置。
【請求項８１】
複数のリソースの前記第１のセット上で第１の基準信号を送信し、複数のリソースの前記第２のセット上で第２の基準信号を受信するための通信コンポーネントをさらに備える、請求項７８に記載の装置。
【請求項８２】
前記第１の基準信号を符号化するために、前記第２の基準信号を符号化するために使用されるＺａｄｏｆｆ−Ｃｈｕシーケンスまたは位相回転とは異なるＺａｄｏｆｆ−Ｃｈｕシーケンスまたは位相回転を利用するための基準信号パラメータ定義コンポーネントをさらに備える、請求項８１に記載の装置。
【請求項８３】
前記第１の基準信号との衝突を緩和する前記第２の基準信号のためのホッピングパターンを前記デバイスに割り当てるための基準信号パラメータ定義コンポーネントをさらに備える、請求項８１に記載の装置。
【請求項８４】
複数のリソースの前記第１のセットが第１の制御チャネルに対応し、複数のリソースの前記第２のセットが第２の制御チャネルに対応する、請求項７８に記載の装置。
【請求項８５】
選択するための前記コンポーネントが、複数のリソースの前記第１のセットと重複しない、オーバープロビジョニングされた制御領域の部分から複数のリソースの前記第２のセットを選択する制御リソース割振りコンポーネントである、請求項８４に記載の装置。
【請求項８６】
共有データチャネル領域上で前記デバイスから制御データを受信するための通信コンポーネントをさらに備え、選択するための前記コンポーネントが、前記共有データチャネル領域内の複数のリソースの前記第２のセットを選択する制御リソース割振りコンポーネントである、請求項８４に記載の装置。
【発明の詳細な説明】
【技術分野】
【０００１】
米国特許法第１１９条に基づく優先権の主張
本特許出願は、本出願の譲受人に譲渡され、参照により本明細書に明確に組み込まれる、２０１０年９月１４日に出願された「METHOD AND APPARATUS FOR MITIGATING RELAY INTERFERENCE」と題する仮出願第６１／３８２，８４１号の優先権を主張する。
【０００２】
以下の説明は、一般にワイヤレスネットワーク通信に関し、より詳細には中継器自己干渉(relay self-interference)を緩和するための配慮事項に関する。
【背景技術】
【０００３】
ワイヤレス通信システムは、例えば、ボイス、データのような様々なタイプの通信コンテンツを提供するために広く展開されている。典型的なワイヤレス通信システムは、使用可能なシステムリソース（例えば、帯域幅、送信電力など）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがあり得る。さらに、システムは、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）、（例えば、３ＧＰＰ  ＬＴＥ（Ｌｏｎｇ  Ｔｅｒｍ  Ｅｖｏｌｕｔｉｏｎ）／ＬＴＥ−Ａｄｖａｎｃｅｄ）、Ｕｌｔｒａ  Ｍｏｂｉｌｅ  Ｂｒｏａｄｂａｎｄ（ＵＭＢ）、Ｅｖｏｌｕｔｉｏｎ  Ｄａｔａ  Ｏｐｔｉｍｉｚｅｄ（ＥＶ−ＤＯ）などの規格に準拠できる。
【０００４】
一般に、ワイヤレス多元接続通信システムは、複数のモバイルデバイスのための通信を同時にサポートし得る。各モバイルデバイスは、順方向リンクおよび逆方向リンク上の送信によって１つまたは複数の基地局と通信し得る。順方向リンク（すなわちダウンリンク）は基地局からモバイルデバイスへの通信リンクを指し、逆方向リンク（すなわちアップリンク）はモバイルデバイスから基地局への通信リンクを指す。さらに、モバイルデバイスと基地局との間の通信は、単入力単出力（ＳＩＳＯ）システム、多入力単出力（ＭＩＳＯ）システム、多入力多出力（ＭＩＭＯ）システムなどによって確立され得る。
【０００５】
さらに、基地局カバレージの拡張、通信スループットの改善などのために、いくつかのワイヤレス通信システムにおいて中継器が使用され得る。例えば、中継器は、（ほぼデバイスのように）基地局から複数のリソースを割り当てられることができ、（ほぼ基地局のように）デバイスに複数のリソースを割り当てることができる。基地局によって割り当てられたリソース上で基地局からの通信を受信すると、中継器は、１つまたは複数の意図されたデバイスへ中継器によってこれらに割り当てられたリソース上で通信を送信でき、その逆も同様である。中継器は、意図されたデバイスまたは基地局へ送信する前に、受信された信号の復号／符号化を行える。中継器は、所与の時間に、この中継器が信号を基地局から受信したりデバイスへ送信したりするが一般に両方ではない半二重モードで動作できる。
【０００６】
しかしながら、中継器は、中継器が（例えば、同じ周波数帯域において）同時に送信および受信できる、全二重モードでも動作できる。この例では、中継器は、例えば、ある周波数帯域上で基地局からの信号を受信することと同時に同一（または隣接するかそうでなければ近くの）周波数帯域上でデバイスへ送信することによって、自身への干渉を生じ得る。バックホールリンクアンテナ（例えば、基地局との通信用）とアクセスリンクアンテナ（例えば、１つまたは複数のデバイスとの通信用）との空間分離がこうした干渉を解決するために提案されているが、このソリューションは、すべての中継器展開について常に実現可能であるとは限らず、このソリューションが高い関連コストを有し得る。干渉を事後にキャンセルする様々な干渉解消技法(interference cancellation techniques)も提案されている。
【０００７】
従って、中継器の動作における改善が望まれる。
【発明の概要】
【０００８】
以下に、１つまたは複数の態様の簡略化された概要を提示してこうした態様の基本的理解を与える。この概要は、すべての企図された態様の包括的な概観ではなく、すべての態様の主要または重要な要素を識別するものでも、いずれかまたはすべての態様の範囲を定めるものでもない。その唯一の目的は、１つまたは複数の態様のいくつかの概念を、後に提示するより詳細な説明の導入として簡略化された形で提示することにある。
【０００９】
１つまたは複数の態様およびそれの対応する開示に従って、本開示は、中継器での自己干渉を発生前に緩和したり、少なくとも最小限に抑えたりすることに関するものであって、干渉解消技法の必要性を減少させたり、そうでなければこうした技法の効率を向上できる様々な態様について記載する。一例において、中継器は、複数のダウンリンクリソースを１つまたは複数のデバイスへの送信のために割り当てることができ、複数のダウンリンクリソースを中継器に割り当てるときにこれらリソースを基地局に回避させることを試みることができる。他の例において、中継器は基地局との基準信号衝突を回避し基地局からのダウンリンク通信を復号するための基準信号を中継器に取得させることができる。さらなる例において、中継器は、アグリゲーションレベル(aggregation level)を低減したり、基地局をもつ制御領域を除いて複数の制御リソースを割り当てたりするなどによって、制御チャネル上での干渉を緩和できる。同様の配慮事項（例えば、中継器のためのアップリンクリソースの基地局スケジューリングに影響を及ぼすための試み、アップリンク基準信号衝突緩和／管理、制御データ配慮事項など）がアップリンク通信のために提供される。
【００１０】
一例によれば、基地局からの複数の第１の信号を受信するために、サブフレーム上のキャリア内の複数のリソースの第１のセットの割振りを受信することと、デバイスと通信するために、複数のリソースの前記第１のセットとの自己干渉を緩和する、前記サブフレーム上の前記キャリア内の複数のリソースの第２のセットを選択することとを含む、全二重中継器におけるワイヤレス通信の方法が提供される。本方法はまた、複数のリソースの前記第２のセット上で前記デバイスへ複数の第２の信号を送信することを含む。
【００１１】
別の態様では、全二重中継器におけるワイヤレス通信のための装置が提供される。本装置は、基地局からの複数の第１の信号を受信するために、サブフレーム上のキャリア内の複数のリソースの第１のセットの割振りを受信することと、デバイスと通信するために、複数のリソースの前記第１のセットとの自己干渉を緩和する、前記サブフレーム上の前記キャリア内の複数のリソースの第２のセットを選択することとを行うように構成された少なくとも１つのプロセッサを含む。前記少なくとも１つのプロセッサは、複数のリソースの前記第２のセット上で前記デバイスへ複数の第２の信号を送信するようにさらに構成される。本装置はまた、前記少なくとも１つのプロセッサに結合されたメモリを含む。
【００１２】
さらに別の態様では、基地局からの複数の第１の信号を受信するために、サブフレーム上のキャリア内の複数のリソースの第１のセットの割振りを受信する手段と、デバイスと通信するために、複数のリソースの前記第１のセットとの自己干渉を緩和する、前記サブフレーム上の前記キャリア内の複数のリソースの第２のセットを選択する手段とを含む、全二重中継器におけるワイヤレス通信のための装置が提供される。本装置は、複数のリソースの前記第２のセット上で前記デバイスへ複数の第２の信号を送信する手段をさらに含む。
【００１３】
さらに、別の態様では、基地局からの複数の第１の信号を受信するために、サブフレーム上のキャリア内の複数のリソースの第１のセットの割振りを受信することを少なくとも１つのコンピュータに行わせるコードと、デバイスと通信するために、複数のリソースの前記第１のセットとの自己干渉を緩和する、前記サブフレーム上の前記キャリア内の複数のリソースの第２のセットを選択することを前記少なくとも１つのコンピュータに行わせるコードとを有するコンピュータ可読媒体を含む、全二重中継器におけるワイヤレス通信のためのコンピュータプログラム製品が提供される。前記コンピュータ可読媒体は、複数のリソースの前記第２のセット上でデバイスへ複数の第２の信号を送信することを前記少なくとも１つのコンピュータに行わせるコードをさらに含む。
【００１４】
さらに、一態様では、基地局からの複数の第１の信号を受信するために、サブフレーム上のキャリア内の複数のリソースの第１のセットの割振りを受信するリソース割振り受信コンポーネントと、デバイスと通信するために、複数のリソースの前記第１のセットとの自己干渉を緩和する、前記サブフレーム上の前記キャリア内の複数のリソースの第２のセットを選択するデバイスリソース割振りコンポーネントとを含む、全二重中継器におけるワイヤレス通信のための装置が提供される。本装置は、複数のリソースの前記第２のセット上で前記デバイスへ複数の第２の信号を送信する通信コンポーネントをさらに含む。
【００１５】
別の例では、デバイスから基地局へ信号を送信するために、サブフレーム上のキャリア内の複数のリソースの第１のセットの割振りを前記基地局から受信することと、前記デバイスからの信号を受信するために、複数のリソースの前記第１のセットとの自己干渉を緩和する、前記サブフレーム上の前記キャリア内の複数のリソースの第２のセットを選択することとを含む、全二重中継器におけるワイヤレス通信の方法が提供される。本方法はまた、複数のリソースの前記第２のセットを前記デバイスに割り振ることを含む。
【００１６】
別の態様では、全二重中継器におけるワイヤレス通信のための装置が提供される。本装置は、基地局へ信号を送信するために、サブフレーム上のキャリア内の複数のリソースの第１のセットの割振りを前記基地局から受信することと、デバイスから信号を受信するために、複数のリソースの前記第１のセットとの自己干渉を緩和する、前記サブフレーム上の前記キャリア内の複数のリソースの第２のセットを選択することとを行うように構成された少なくとも１つのプロセッサを含む。前記少なくとも１つのプロセッサは、複数のリソースの前記第２のセットを前記デバイスに割り振るようにさらに構成される。本装置はまた、前記少なくとも１つのプロセッサに結合されたメモリを含む。
【００１７】
さらに別の態様では、基地局へ信号を送信するために、サブフレーム上のキャリア内の複数のリソースの第１のセットの割振りを前記基地局から受信する手段を含む、全二重中継器におけるワイヤレス通信のための装置が提供される。本装置は、デバイスからの信号を受信するために、複数のリソースの前記第１のセットとの自己干渉を緩和する、前記サブフレーム上の前記キャリア内の複数のリソースの第２のセットを選択し、複数のリソースの前記第２のセットを前記デバイスに割り振る手段をさらに含む。
【００１８】
さらに、別の態様では、基地局へ信号を送信するために、サブフレーム上のキャリア内のリソースの第１のセットの割振りを基地局から受信することを少なくとも１つのコンピュータに行わせるコードを有するコンピュータ可読媒体を含む、全二重中継器におけるワイヤレス通信のためのコンピュータプログラム製品が提供される。コンピュータ可読媒体は、デバイスから信号を受信するために、複数のリソースの前記第１のセットとの自己干渉を緩和する、サブフレーム上のキャリア内の複数のリソースの第２のセットを選択することを少なくとも１つのコンピュータに行わせるコードと、複数のリソースの前記第２のセットを前記デバイスに割り振ることを少なくとも１つのコンピュータに行わせるコードとをさらに含む。
【００１９】
さらに、一態様では、基地局へ信号を送信するために、サブフレーム上のキャリア内の複数のリソースの第１のセットの割振りを基地局から受信するリソース割振り受信コンポーネントと、デバイスから信号を受信するために、複数のリソースの前記第１のセットとの自己干渉を緩和する、サブフレーム上のキャリア内の複数のリソースの第２のセットを選択し、複数のリソースの前記第２のセットを前記デバイスに割り振るコンポーネントとを含む、全二重中継器におけるワイヤレス通信のための装置が提供される。
【００２０】
上記および関係する目的を達成するために、１つまたは複数の態様は、以下で十分に説明し、特に特許請求の範囲で指摘する特徴を備える。以下の説明および添付の図面に、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【００２１】
添付の図面とともに以下に説明する開示する態様は、開示する態様を限定するためではなく、開示する態様を例示するために与えられ、同様の表示は同様の要素を示す。
【図面の簡単な説明】
【００２２】
【図１】ワイヤレス通信において中継器を採用するシステムの一態様のブロック図。
【図２】中継器自己干渉を緩和するために、基地局からの割振りが望まれないリソースを示すためのシステムの一態様のブロック図。
【図３】中継器自己干渉を緩和するように基準信号を送信するためのシステムの一態様のブロック図。
【図４】中継器自己干渉を緩和するように制御データを通信するためのシステムの一態様のブロック図。
【図５】基地局通信との中継器自己干渉を緩和するようにデバイスのためのダウンリンクリソースを選択するための方法の一態様のフローチャート。
【図６】中継器自己干渉を緩和するために、基準信号を送信することを控えるための方法の一態様のフローチャート。
【図７】制御データを送信することに起因して生じ得る自己干渉を緩和するように、制御データをアグリゲートするための方法の一態様のフローチャート。
【図８】基地局通信との中継器自己干渉を緩和するようにデバイスのためのアップリンクリソースを選択するための方法の一態様のフローチャート。
【図９】中継器自己干渉を緩和するようにアップリンク基準信号を送信するための方法の一態様のフローチャート。
【図１０】中継器自己干渉を緩和するために、デバイスに制御リソースを割り振るように制御領域をオーバープロビジョニングするための方法の一態様のフローチャート。
【図１１】本明細書で説明する態様による、中継器の一態様のブロック図。
【図１２】基地局通信との中継器自己干渉を緩和するようにデバイスのためのダウンリンクリソースを選択するシステムの一態様のブロック図。
【図１３】基地局通信との中継器自己干渉を緩和するようにデバイスのためのアップリンクリソースを選択するシステムの一態様のブロック図。
【図１４】本明細書に記載する様々な態様による、ワイヤレス通信システムの一態様のブロック図。
【図１５】本明細書で説明する様々なシステムおよび方法とともに採用され得るワイヤレスネットワーク環境の一態様の概略ブロック図。
【発明を実施するための形態】
【００２３】
次に、図面を参照しながら様々な態様について説明する。以下の記述では、説明の目的で、１つまたは複数の態様の完全な理解を与えるために多数の具体的な詳細を記載する。ただし、そのような（１つまたは複数の）態様は、これらの具体的な詳細なしに実施され得ることは明らかであろう。
【００２４】
本明細書では、基地局からの信号を受信する一方でデバイスに信号を送信することおよび／またはその逆によって生じる、中継器における自己干渉を緩和することに関する様々な配慮事項についてさらに説明する。例えば、中継器は、基地局によって中継器に割り当てられるダウンリンクリソースの選択に影響を及ぼすことを試みることができ、従って、中継器は、１つまたは複数のデバイスと通信するための他のダウンリンクリソースを割り当てることができる。一例では、中継器は、それが１つまたは複数のデバイスに割り当てようとするリソースのセットについて低いチャネル品質を報告でき、従って、基地局は、リソースのそのセットを中継器に割り当て得ない。別の例では、中継器は、基地局とリソースをネゴシエートできる。さらに、中継器は、基地局からの通信を復号するために、基地局からの他の基準信号を利用したり、いくつかの時間間隔中に基準信号を送信することを控えたりなどすることによって、中継器と基地局との間の基準信号衝突を緩和できる。さらに、中継器は、いくつかの通信にわたる干渉を緩和するために、それらの通信のためにより低いアグリゲーションレベルを使用でき、および／または、例えば、リソースが半静的(semi-statically)に構成されるような場合に、基地局によってスケジュールされたリソースを避けてスケジュールできる。
【００２５】
さらに、中継器は、基地局からのアップリンクリソース割当てのための同様の技法を使用できる。例えば、中継器は、中継器がアップリンク通信のために１つまたは複数のデバイスに割り当てることができるいくつかのリソース上で低いまたは実質的にミュートされた電力でサウンディング基準信号（ＳＲＳ：sounding reference signal）を送信できる。別の例では、中継器は、説明したように、アップリンクリソースをネゴシエートできる。さらに、中継器は、デバイスによって送信される信号に干渉しないように、専用基準信号（ＤＲＳ：dedicated reference signal）を通信するための異なるシーケンスを利用でき、および／または狭帯域ＳＲＳを使用したり、中継器のＳＲＳと衝突しないＳＲＳホッピングシーケンスをデバイスのために定義したりするなどによってＳＲＳ衝突を回避できる。さらに、中継器は、制御データ領域をオーバープロビジョニングし、基地局によって中継器のために割り当てられた制御データリソースへの干渉を緩和するように、デバイスから制御データを受信するための重複しない複数のリソースを選択でき、および／または制御データリソースと衝突しない共有データチャネルまたは他のリソース上で制御データを送信することをデバイスに行わせることができる。この点について、ダウンリンクまたはアップリンクリソース割当てに関する自己干渉の問題は緩和または解消され得る。
【００２６】
本出願で使用する「コンポーネント」、「モジュール」、「システム」などの用語は、限定はしないが、ハードウェア、ファームウェア、ハードウェアとソフトウェアの組合せ、ソフトウェア、または実行中のソフトウェアなど、コンピュータ関係のエンティティを含むものとする。例えば、コンポーネントは、プロセッサ上で実行されるプロセス、プロセッサ、オブジェクト、実行ファイル、実行スレッド、プログラム、および／またはコンピュータであり得るが、これらに限定されない。例として、コンピューティングデバイス上で実行されるアプリケーションと、そのコンピューティングデバイスの両方がコンポーネントであり得る。１つまたは複数のコンポーネントがプロセスおよび／または実行スレッド内に常駐でき、１つのコンポーネントを１つのコンピュータ上に配置し、および／または２つ以上のコンピュータ間に分散し得る。さらに、これらのコンポーネントは、様々なデータ構造を記憶した様々なコンピュータ可読媒体から実行できる。これらのコンポーネントは、ローカルシステム、分散システム、および／または他のシステムを用いるインターネットなどのネットワーク全体の中の別のコンポーネントと信号を介して対話する１つのコンポーネントからのデータなど、１つまたは複数のデータパケットを有する信号によるなど、ローカルプロセスおよび／またはリモートプロセスを介して通信し得る。
【００２７】
さらに、本明細書では、ワイヤード端末またはワイヤレス端末であり得る端末に関する様々な態様について説明する。端末は、システム、デバイス、加入者ユニット、加入者局、移動局、モバイル、モバイルデバイス、移動局、リモート局、リモート端末、アクセス端末、ユーザ端末、通信デバイス、ユーザエージェント、ユーザデバイス、またはユーザ機器（ＵＥ）などと呼ばれることもある。ワイヤレス端末は、セルラー電話、スマートフォン、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、タブレット、スマートブック、ネットブック、またはワイヤレスモデムに接続された他の処理デバイスなどであり得る。さらに、本明細書では基地局に関する様々な態様について説明する。基地局は、（１つまたは複数の）ワイヤレス端末と通信するために利用され得、アクセスポイント、ノードＢ、発展型ノードＢ（ｅＮＢ）、または何らかの他の用語で呼ばれることもある。
【００２８】
さらに、「または」という用語は、排他的な「または」ではなく、包括的な「または」を意味するものとする。すなわち、別段に規定されていない限り、または文脈から明らかでない限り、「ＸはＡまたはＢを使用する」という句は、自然包括的並べ替えのいずれかを意味するものとする。すなわち、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用する冠詞「ａ」および「ａｎ」は、別段に規定されていない限り、または単数形を示すことが文脈から明らかでない限り、概して「１つまたは複数」を意味するものと解釈すべきである。
【００２９】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ−ＣＤＭＡ（Ｗ−ＣＤＭＡ）およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥ／ＬＴＥ−ＡｄｖａｎｃｅｄおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。さらに、ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。さらに、そのようなワイヤレス通信システムは、不対無資格スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（例えば、モバイルツーモバイル）アドホックネットワークシステムをさらに含み得る。
【００３０】
いくつかのデバイス、コンポーネント、モジュールなどを含み得るシステムに関して、様々な態様または特徴を提示する。様々なシステムは、追加のデバイス、コンポーネント、モジュールなどを含んでもよく、および／または各図に関連して論じるデバイス、コンポーネント、モジュールなどのすべてを含まなくてもよいことを理解および諒解されたい。これらの手法の組合せも使用され得る。
【００３１】
図１を参照すると、ワイヤレス通信において中継器を提供することを容易にするワイヤレス通信システム１００が示される。システム１００は、基地局１０４から信号を取得し、その信号をデバイス１０６に送信する中継器１０２を含む。説明したように、中継器１０２は、基地局１０４からダウンリンクリソース割振りを受信でき、その割振り中のリソース上で信号を取得できる。同様に、中継器１０２は、デバイス１０６にダウンリンクリソースを割り振ることができ、そのダウンリンクリソース上で信号を送信できる。中継器１０２は、最初に、基地局１０４から受信された通信を復号し、関係するデータを取得し、そのデータをデバイス１０６への送信のために符号化できる。さらに、中継器１０２は、デバイス１０６が信号を送信できるアップリンクリソースをデバイス１０６に割り振ることができ、中継器１０２は、それらの信号を、例えば、復号／符号化した後に、基地局１０４から受信されたアップリンクリソースのセット上で基地局１０４にフォワーディングできる。さらに、中継器１０２は、デバイス１０６に他の信号を送信する一方で基地局１０４から受信すること（および／またはその逆）ができるような全二重中継器であり得る。
【００３２】
例えば、中継器１０２は、全二重中継器、ＵＥ中継器（他のＵＥが基地局の通信を受信するためにＵＥ中継器に接続することをさせながら、基地局と通信するＵＥなど）、その一部などであり得る。さらに、例えば、基地局１０４は、マクロセル、フェムトセル、ピコセル、あるいは同様の基地局、モバイル基地局、別の中継器、ピアツーピアまたはアドホックモードで通信するデバイス、その部分などであり得る。デバイス１０６は、例えば、ＵＥ、モデム（または他のテザーデバイス）、その部分などであり得る。
【００３３】
一例によれば、中継器１０２は、少なくとも部分的に、基地局１０４によって中継器１０２に割り当てられたリソースと重複しない複数のリソースをデバイス１０６に割り当てることによって、自己干渉を緩和できる。一例では、中継器１０２は、中継器１０２のための基地局１０４でのダウンリンクリソースの割当てに影響を及ぼすことを試みることができる。これは、リソース割当てをネゴシエートすること、割当てが望まれないリソースのセットについて低いチャネル品質を示すこと、割当てが望まれるリソースのセットについて高いチャネル品質を示すことなどを含むことができる。従って、中継器１０２は、試みられた影響に鑑みて、基地局１０４からの予想されるリソース割当てに干渉しないようにデバイス１０６にリソースを割り当てることができる。中継器１０２は、基地局１０４とのリソースネゴシエーション、割当てが望まれないリソース上でしきい値レベルを下回る信号電力をもつＳＲＳを送信すること、割当てが望まれるリソース上でしきい値レベルを上回る信号電力をもつＳＲＳを送信することなど、基地局１０４からのアップリンクリソース割当てに影響を及ぼすことを試みるための同様の技法を使用できる。
【００３４】
他の例では、基地局１０４は、中継器１０２によって送信されるダウンリンク基準信号との衝突を緩和するために、中継器１０２に復号および／またはチャネル推定情報を示すための異なる基準信号を利用できる。別の例では、中継器１０２は、衝突なしに基地局１０４から基準信号を適切に受信するために、１つまたは複数の時間間隔中で基準信号を送信することを控えることができる。さらに、デバイス１０６からのアップリンク基準信号について、中継器１０２は、アップリンク基準信号の衝突を緩和するために、それの基準信号のための異なるシーケンスを利用すること、および／またはデバイス１０６に基準信号のための異なるホッピングパターンを割り当てることができる。
【００３５】
さらなる例では、中継器１０２は、送信によって生じる自己干渉を減少させるために、デバイス１０６に制御データを送信するときにより低いアグリゲーションレベルを使用でき、および／または制御領域が半静的に構成される場合に、基地局１０４によって構成された制御領域を避けてダウンリンク制御チャネルをスケジュールできる。さらに、アップリンク制御送信について、中継器１０２は、アップリンク制御領域をオーバープロビジョニングし、基地局１０４によって制御リソースとして中継器１０２に割り当てられた領域と重複しない制御リソースをデバイス１０６に割り当てることができる。別の例において、中継器１０２は、制御チャネル衝突を回避するために、データチャネルリソース上で制御データを送信するようにデバイス１０６に命令できる。
【００３６】
次に図２を参照すると、中継器自己干渉を緩和するために、基地局リソース割当てをネゴシエートしたり、そうでなければそれに影響を及ぼすことを試みたりすることを容易にする例示的なワイヤレス通信システム２００が示される。システム２００は、説明したように、基地局２０４からデバイス２０６におよび／またはその逆に信号を送信する中継器２０２を含む。説明したように、中継器２０２は、全二重中継器、ＵＥ中継器などであり得、基地局２０４は、マクロセル、フェムトセル、ピコセル、または他の基地局などであり得、デバイス２０６は、ＵＥ、モデムなどであり得る。
【００３７】
中継器２０２は、デバイスと通信するためのリソースのセットをデバイスに割り当てるためのデバイスリソース割振りコンポーネント２０８と、基地局と通信するための異なるリソースのセットを基地局から取得するリソース割振り受信コンポーネント２１０とを含むことができる。中継器２０２はまた、随意に、中継器２０２のためのダウンリンクまたはアップリンクリソース割振りを判断するために基地局と通信するためのリソース割振りネゴシエートコンポーネント２１２、および／または基地局に、いくつかのリソースを中継器２０２に割り振らせることまたは割り振ることを控えさせることを試みるためのリソース割振り影響コンポーネント２１４を含むことができる。中継器２０２は、基地局および／またはデバイスへ送信したり、これらから受信したりするための通信コンポーネント２１６をも含むことができる。
【００３８】
一例によれば、デバイスリソース割振りコンポーネント２０８は、デバイス２０６に割り振るための複数のリソースのセットを判断できる。例えば、デバイスリソース割振りコンポーネント２０８は、基地局２０４からのリソース割振り中で受信されることが予想されるリソースをデバイス２０６に割り当てることを回避できる。一例では、リソース割振りネゴシエートコンポーネント２１２は、中継器２０２が基地局２０４から信号を受信するためおよび／または基地局２０４に信号を送信するためのアップリンクまたはダウンリンクリソース割振りを判断するために基地局２０４と通信できる。この例では、１セットのリソースがネゴシエートされると、リソース割振り受信コンポーネント２１０は、基地局２０４からこれらリソースのセットの指示を取得でき、デバイスリソース割振りコンポーネント２０８は、そのようなリソースをデバイス２０６に割り当てることを回避できる。通信コンポーネント２１６は、リソース上で基地局２０４からダウンリンク信号を受信できる。しかしながら、基地局２０４からのリソース割振りは時間とともに変更され得る。
【００３９】
別の例では、リソース割振り影響コンポーネント２１４は、基地局２０４からのリソース割振りに影響を及ぼすことを試みることができる。この例において、リソース割振り影響コンポーネント２１４は、デバイスリソース割振りコンポーネント２０８が、デバイス２０６など、１つまたは複数のデバイスに割り振ったかまたは割り振る予定であるダウンリンクリソースについて不良チャネル品質報告を送ることができる。例えば、基地局２０４は、１セットのリソースに関係するフィードバックを報告するためのアップリンク制御チャネルを中継器２０２に割り当てることができる。この例では、中継器２０２は、しきい値ＣＱＩレベル未満であるダウンリンクリソースのセットのチャネル品質インジケータ（ＣＱＩ）または他のチャネル品質値を通信して、中継器２０２に他の複数のダウンリンクリソースを割り振ることを基地局２０４に検討させることができる。次いで、デバイスリソース割振りコンポーネント２０８は、例えば、基地局２０４によって割り当てられた他の重複しない複数のリソース上で基地局２０４からの信号を受信する一方で、通信コンポーネント２１６を使用してデバイス２０６にダウンリンク信号を通信するために、これらダウンリンクリソースをデバイス２０６に割り振ることができる。従って、基地局２０４がこれらのダウンリンクリソースを中継器２０２に割り振らない場合、自己干渉は緩和される。さらに、リソース割振り受信コンポーネント２１０が、衝突するリソースを割り当てた場合、リソースは、報告されたＣＱＩにより、低い変調およびコーディング方式（ＭＣＳ）を使用でき、従って、より低いレベルの干渉を生じることになる。中継器２０２は、他のリソースの真の測定されたＣＱＩを基地局２０４に報告できることを諒解されたい。
【００４０】
さらに別の例では、リソース割振り影響コンポーネント２１４は、ダウンリンクリソースのセットについて基地局２０４から割振りを取得することを試みるために、ダウンリンクリソースのセットの（例えば、しきい値ＣＱＩレベル以上の）良好なＣＱＩを基地局２０４に報告できる。この例では、デバイスリソース割振りコンポーネント２０８は、デバイス２０６と通信するためのダウンリンクリソースのセット以外のダウンリンクリソースを割り振ることができる。いずれの場合も、リソース割振り受信コンポーネント２１０が、デバイス２０６に割り振られるダウンリンクリソースとは異なるダウンリンクリソースの割振りを基地局２０４から受信する場合、自己干渉の問題は存在しない。
【００４１】
同様に、アップリンクリソースでは、リソース割振り影響コンポーネント２１４は、アップリンクリソースのセットの割当てを回避するかまたは割当てに影響を及ぼすことを試みるために、基地局２０４が、一般に、デバイスにリソースを割り当てるために利用する基準信号を利用できる。例えば、リソース割振り影響コンポーネント２１４は、基地局２０４が、ＳＲＳを受信したとき、ＳＲＳの低いまたはミュートされた電力に基づいて、リソースのセットを割り振ることを回避し得るように、リソースのセットについて、しきい値レベル未満まで低減された電力をもつかまたはミュートされた電力をもつＳＲＳを送信できる。この点について、デバイスリソース割振りコンポーネント２０８は、デバイス２０６からのアップリンク通信のためのリソースのセットの少なくとも一部分を割り振ることができる。例えば、通信コンポーネント２１６は、１セットのリソース上でデバイス２０６からアップリンク通信を受信する一方で、基地局２０４によって割り当てられた他の重複しない複数のリソース上で基地局２０４に送信できる。別の例では、リソース割振り影響コンポーネント２１４は、アップリンクリソースのセットを中継器２０２に割り振るように基地局２０４に影響を及ぼすことを試みるために、アップリンクリソースのセットについて高い電力をもつＳＲＳを送信でき、従って、デバイスリソース割振りコンポーネント２０８は、アップリンクリソースのセット中のリソースをデバイス２０６に割り当てることを回避できる。
【００４２】
両方の場合（アップリンクリソースおよびダウンリンクリソースなど）において、デバイスリソース割振りコンポーネント２０８はデバイス２０６に半永続的リソースを割り振ることができることを諒解されたい。この例では、リソース割振りネゴシエートコンポーネント２１２および／またはリソース割振り影響コンポーネント２１４は、上述した技法を使用して、基地局２０４からの半永続的割振り以外の他のリソースの割振りをネゴシエートすること、および／またはその割振りに影響を及ぼすことを試みることができる。
【００４３】
特定の例では、基地局２０４および中継器２０２間並びに中継器２０２およびデバイス２０６間において割当て可能なリソースに対応する周波数および／または時間リソースのセットを表すことのできるリソースのセット２１８が示される。別の例では、リソース２１８は、１つまたは複数のＯＦＤＭシンボル期間にわたる１つまたは複数の周波数サブキャリア、１つまたは複数の論理チャネルなどを表すことができる。この例において、リソース割振りネゴシエートコンポーネント２１２は基地局２０４との間の通信のためのリソース２２０をネゴシエートでき、従って、デバイスリソース割振りコンポーネント２０８はデバイス２０６にリソース２２２（または他の重複しない複数のリソース）を割り当てることができる。別の例において、リソース割振り影響コンポーネント２１４は、基地局２０４が中継器２０２にリソース２２４を割り当て得ないように、リソース２２４についての不十分なＣＱＩを報告したり、低電力ＳＲＳを送信したりするなどできる。この点について、デバイスリソース割振りコンポーネント２０８は、リソース２２２、または少なくともリソース２２４のサブセットである他のリソースをデバイス２０６に割り当てることができる。リソース割振り受信コンポーネント２１０は、例えば、リソース２２４以外のリソース２２０の割振りを受信できる。
【００４４】
図３は、中継器構成において複数の基準信号の自己干渉を緩和する例示的なワイヤレス通信システム３００を示す。システム３００は、説明したように、基地局３０４からデバイス３０６におよび／またはその逆に信号を送信する中継器３０２を含む。中継器３０２は、基地局から基準信号を取得するための基準信号受信コンポーネント３０８と、基準信号に少なくとも部分的に基づいて基地局からの通信を復号するためのデータ復号コンポーネント３１０と、中継器３０２またはデバイスで基準信号を送信することに関係する１つまたは複数のパラメータを生成するための随意の基準信号パラメータ定義コンポーネント３１２と、基地局および／またはデバイスへ送信したり、これらから受信したりするための通信コンポーネント３１４とを含むことができる。
【００４５】
一例によれば、基準信号受信コンポーネント３０８は、デバイス３０６に送信するための通信を復号するための基準信号を基地局３０４から取得できる。基準信号は、中継器３０２によって（例えば、通信コンポーネント３１４によって）送信されるセル固有基準信号と衝突し得る、基地局３０４からのセル固有基準信号であり得る。従って、基準信号受信コンポーネント３０８は、一例では、追加または代替として、異なるリソース上で通信され得る、１つまたは複数のＵＥ固有基準信号などの他の基準信号を基地局３０４から受信できる。従って、データ復号コンポーネント３１０は、ＵＥ固有基準信号を使用して基地局３０４からの通信を復号できる。通信コンポーネント３１４は、通信を復号するための、異なるＵＥ固有基準信号および／または中継器３０２のセル固有基準信号をデバイス３０６に送信できることを諒解されたい。
【００４６】
別の例では、基準信号受信コンポーネント３０８は、基地局３０４からセル固有基準信号を受信するために、１つまたは複数のサブフレームをマルチメディアブロードキャストオーバー単一周波数ネットワーク（ＭＢＳＦＮ：multimedia broadcast over a single-frequency network）サブフレームとして宣言できる。この例において、サブフレームがＭＢＳＦＮとして宣言された場合、中継器３０２は、データ領域においてセル固有基準信号を送信せず、従って、セル固有基準信号を同時に送信することによって生じる自己干渉なしに基地局３０４からセル固有基準信号を受信できる。一例において、基準信号受信コンポーネント３０８は、中継器３０２からの基準信号が基地局３０４からの基準信号と衝突するサブフレームを検出することに少なくとも部分的に基づいて、ＭＢＳＦＮとして宣言すべき１つまたは複数のサブフレームを判断できる。例えば、中継器２０２は、基地局３０４によって利用されるパターンを知ることができ、従って、基準信号受信コンポーネント３０８は、そのパターンと、中継器３０２が基準信号送信をスケジュールするサブフレームとに少なくとも部分的に基づいて、衝突するサブフレームを判断できる。
【００４７】
別の例において、ＤＲＳ、ＳＲＳなどのアップリンク基準信号の場合、基準信号パラメータ定義コンポーネント３１２は、中継器３０２およびデバイス３０６からのアップリンク信号の衝突しない送信を保証するためのパラメータを生成できる。一例では、基準信号パラメータ定義コンポーネント３１２は、中継器３０２によって使用されるものとは異なる変調シーケンス（例えば、Ｚａｄｏｆｆ−Ｃｈｕシーケンス）、位相回転、ホッピングパターンなどをデバイス３０６の基準信号に割り当てることができる。通信コンポーネント３１４は、例えば、デバイス３０６が、基準信号を生成するためにパラメータを実装できるように、パラメータをデバイス３０６に示すことができる。例えば、異なるホッピングパターンを使用することにより、リソースが衝突する見込みは小さくなり得るが、リソースが衝突した場合、基準信号は、異なる変調シーケンス（例えば、異なるＺａｄｏｆｆ−Ｃｈｕまたは同様のシーケンス）、位相回転などに基づいて区別され得る。
【００４８】
図４を参照すると、中継器自己干渉を緩和するように制御リソースを割り振るための例示的なシステム４００が示される。システム４００は、説明したように、基地局４０４からデバイス４０６におよび／またはその逆に信号を送信する中継器４０２を含む。中継器４０２は、基地局から制御リソース割振りを取得するための制御リソース受信コンポーネント４０８と、１つまたは複数のデバイスに制御データを送信するための制御リソースをアグリゲートするための制御データアグリゲートコンポーネント４１０と、１つまたは複数のデバイスに制御リソースを割り当てるための制御リソース割振りコンポーネント４１２と、基地局および／またはデバイスから信号を受信したり、これらに信号を送信したりするための通信コンポーネント４１４とを含むことができる。
【００４９】
一例によれば、制御リソース受信コンポーネント４０８は、中継器物理ダウンリンク制御チャネル（Ｒ−ＰＤＣＣＨ：relay-physical downlink control channel）領域など、ＬＴＥにおいて定義されたデータ領域中にあり得る制御リソース割当てを基地局４０４から取得できる。いくつかのシステムにおいて、Ｒ−ＰＤＣＣＨは、半静的に構成された周波数分割多重領域を含み、制御リソース割振りコンポーネント４１２は、Ｒ−ＰＤＣＣＨと衝突しないダウンリンクデータ領域中のデータリソースをデバイス４０６に割り振ることができる。
【００５０】
別の例において、自己干渉を緩和するために、制御データアグリゲートコンポーネント４１０は、制御データをデバイス４０６に送信するための、（例えば、ＬＴＥにおいて）そのような目的のために一般に利用されるトーンのアグリゲーションよりも低いアグリゲーションを利用できる。この例では、従って、より少ない数のリソースが、中継器４０２からデバイス４０６への送信によって自己干渉される見込みを有する。通信コンポーネント４１４は、制御データを表すより低いレベルのアグリゲートされたトーンをデバイス４０６に送信できる。
【００５１】
特定の例では、周波数トーンの集合４１６および４１８が各々いくつかのトーン４２０を含み示される。これらトーンは例えばあるタイムスロット上の周波数帯域内の複数の周波数サブキャリアを表し、ＯＦＤＭの例におけるＯＦＤＭシンボルに対応し得る。図示のように、通信コンポーネント４１４は、トーンの集合４１６中の４つのトーン上で制御データを受信できる。しかしながら、制御データアグリゲートコンポーネント４１０は、受信した制御データを、デバイス４０６に送信するためのトーンの集合４１８中の２つのトーン上で符号化できる。この例において、通信コンポーネント４１４が基地局４０４から同様のリソース上で信号を受信する場合、制御データを送信することによる干渉が４つのトーンの代わりに２つのトーン上で生じる。
【００５２】
アップリンクリソースに関係する別の例において、制御リソース割振りコンポーネント４１２は、中継器４０２および基地局４０４間のアップリンク通信のための制御領域よりも大きい制御領域を中継器４０２のために定義でき、これは、制御領域をオーバープロビジョニングすると呼ばれ得る。オーバープロビジョニングされた制御領域内で、制御リソース割振りコンポーネント４１２は、中継器４０２／基地局４０４の通信のための制御領域と重複しない制御リソースをデバイス４０６に割り振ることができる。これらリソースが重複していないので、自己干渉の問題は緩和され得る。特定の例で、リソース４２２の集合を仮定すれば、中継器４０２および基地局４０４間の制御データ通信のための制御領域４２４が定義される。この例では、制御リソース割振りコンポーネント４１２がリソース４２６によって制御領域をオーバープロビジョニングでき、、デバイス４０６と制御データを通信するためのリソースをオーバープロビジョニングされた領域からデバイス４０６に割り当てて、中継器４０２および基地局４０４間の制御通信と干渉することを回避できる。
【００５３】
さらに別の例において、制御リソース割振りコンポーネント４１２は、デバイス４０６が中継器４０２に制御データを送信できる共有データチャネルリソース（例えば、物理アップリンク共有チャネル（ＰＵＳＣＨ：physical uplink shared channel）リソース）を割り振ることができる。一例では、制御リソース割振りコンポーネント４１２が共有データチャネルリソースのための許可をデバイス４０６に送り、制御データを中継器４０２に通信するようにデバイス４０６を促すことができる。
【００５４】
図５〜図１０を参照すると、中継器自己干渉を緩和することに関する例示的な方法が示される。説明を簡単にするために、方法を一連の動作(acts)として図示し説明するが、いくつかの動作は、１つまたは複数の実施形態によれば、本明細書で図示し説明する他の動作と同時におよび／または異なる順序で行われ得るので、方法は動作の順序によって限定されないことを理解および諒解されたい。例えば、方法は、状態図など、一連の相互に関係する状態またはイベントとして代替的に表現され得ることを諒解されたい。さらに、１つまたは複数の実施形態による方法を実施するために、図示のすべての動作が必要とされるとは限らない。
【００５５】
図５を参照すると、中継器自己干渉を緩和するための例示的な方法５００が示される。５０２では、基地局からの複数の第１の信号を受信するために、サブフレーム上のキャリア内の複数のリソースの第１のセットの割振りを受信する。５０４では、デバイスと通信するための、複数のリソースの第１のセットとの自己干渉を緩和する、サブフレーム上のキャリア内の複数のリソースの第２のセットを選択する。一例では、これは、５０２で割振りが受信される前に行われることができる。この例では、低いＣＱＩまたは他の品質インジケータが基地局からの割振りが望まれない１セットのリソースのために指定され得る。基地局がこのセットのリソースを割り当てる可能性は低くなり得、従って、このセットのリソースは、次いで、リソースが基地局からの信号を受信するために使用される間にデバイスへ送信することによる自己干渉を緩和したりするためにデバイスに割り振られ得る。別の例において、複数のリソースの第１のセットが半静的に割り当てられる場合、ステップ５０４で選択することは、半静的割当てを避けてリソースを選択すること含むことができる。５０６では、複数のリソースの第２のセット上でデバイスへ第２の信号を送信する。
【００５６】
図６を参照すると、基準信号を受信するときに、送信された基準信号による自己干渉を回避するための例示的な方法６００が示される。６０２では、基地局がセル固有基準信号を送信することになるサブフレームを判断する。説明したように、これは、基地局からの基準信号送信の受信されたスケジュール、前の基準信号送信に少なくとも部分的に基づいて基準信号送信のためのサブフレームを予測することなどに少なくとも部分的に基づいて判断され得る。６０４では、サブフレームのデータ領域において基準信号を送信することを回避するために、サブフレームをＭＢＳＦＮサブフレームとして宣言する。
【００５７】
図７を参照すると、自己干渉を緩和するように制御データを通信するための例示的な方法７００が示される。７０２では、制御データを受信する。７０４では、他の制御データ送信のために利用されるよりも低いアグリゲーションレベルを使用して、制御データをアグリゲートする。例えば、これは、少なくとも中継器自己干渉の可能性を判断することに基づき得る。７０６では、制御データをデバイスへ送信する。説明したように、より低いアグリゲーションレベルを使用することにより、周波数トーンのより小さい部分上で送信が行われるので、制御データ送信によって生じ得る自己干渉の量が少なくなり得る。
【００５８】
図８を参照すると、中継器自己干渉を緩和することを容易にする例示的な方法８００が示される。８０２では、基地局に信号を送信するために、サブフレーム上のキャリア内の複数のリソースの第１のセットの割振りを基地局から受信する。８０４では、デバイスから信号を受信するために、これらリソースの第１のセットとの自己干渉を緩和する、サブフレーム上のキャリア内の複数のリソースの第２のセットを選択する。例えば、リソースの第２のセットは、８０２で割振りを受信する前に選択され得る。一例では、基地局がリソースのセットを割り振るのを防ぐことを試みるために、ＳＲＳがリソースのセット上で低いまたはミュートされた電力で送信され得る。従って、リソースの第２のセットは、自己干渉を緩和するようにリソースのセットの少なくとも一部分から選択され得る。８０６では、リソースの第２のセットをデバイスに割り振る。
【００５９】
次に図９を参照すると、基準信号の中継器自己干渉を緩和するための例示的な方法９００が示される。９０２では、サブフレーム中の複数のリソースの第１のセット上でデバイスから第１の基準信号を受信する。オプションとして、９０４では、第２の基準信号を生成するために、異なるＺａｄｏｆｆ−Ｃｈｕシーケンスまたは位相回転を利用する。これは、複数の基準信号の間の衝突を緩和できる。オプションとして、９０６では、第２の基準信号との衝突を回避するように、第１の基準信号を送信するためのホッピングパターンをデバイスに割り当てる。これも、基準信号衝突を緩和できる。９０８では、サブフレーム中の複数のリソースの第２のセット上で第２の基準信号を送信する。
【００６０】
図１０では、中継器自己干渉を緩和するように制御リソースをデバイスに割り振るための例示的な方法１０００が示される。１００２では、制御リソースが中継器に割り当てられる領域以外の制御リソースのセットをデバイスに割り振る。例えば、領域はオーバープロビジョニングされ得、領域と重複しない複数のリソースがデバイスに割り当てられ得る。１００４では、制御リソースのセット上でデバイスから制御データを受信する。
【００６１】
本明細書で説明する１つまたは複数の態様によれば、説明したように、アップリンクまたはダウンリンク通信のためにデバイスに割り当てる複数のリソースのセットを判断することなどに関する推論が行われ得ることを諒解されよう。本明細書で使用する「推論する」または「推論」という用語は、概して、イベントおよび／またはデータを介して捕捉された観察のセットから、システム、環境、および／またはユーザの状態について推理する、またはその状態を推論するプロセスを指す。推論は、特定の状況(context)または動作(action)を識別するために使用され得、あるいは、例えば、状態の確率分布を生成できる。推論は、確率的、すなわち、データおよびイベントの考察に基づく当該の状態の確率分布の計算であり得る。推論は、イベントおよび／またはデータのセットからより高いレベルのイベントを構成するために採用される技法を指すこともある。そのような推論から、イベントが時間的に近接して相関するか否かにかかわらず、並びにイベントおよびデータが１つまたは複数のイベントおよびデータの発生源に由来するかどうかにかかわらず、観測されたイベントおよび／または記憶されたイベントデータのセットから新しいイベントまたは動作が構成される。
【００６２】
図１１は、中継器自己干渉を緩和することを可能にするシステム１１００の図である。システム１１００は、（例えば、複数のネットワーク技術であり得る）複数の受信アンテナ１１０６を介して１つまたは複数のモバイルデバイスまたは基地局１１０４から（１つまたは複数の）信号を受信する受信機１１１０を有する中継器１１０２と、複数の送信アンテナ１１０８（例えば、複数のネットワーク技術のものであってよい）を介して１つまたは複数のモバイルデバイスまたは基地局１１０４に送信する送信機１１４２とを含む。例えば、中継器１１０２は、モバイルデバイス１１０４から受信された信号を基地局１１０４に送信でき、および／またはその逆も同様である。受信機１１１０は、１つまたは複数の受信アンテナ１１０６から情報を受信でき、受信された情報を復調する復調器１１１２と動作可能に結合される。さらに、一例において、受信機１１１０は、ワイヤードバックホールリンクから受信できる。別々のアンテナとして描かれているが、受信アンテナ１１０６のうちの少なくとも１つと送信アンテナ１１０８のうちの対応する１つは、同一アンテナとして集約され得ることを諒解されたい。本明細書で説明する１つまたは複数の態様を行うことに関係する情報を記憶するメモリ１１１６に結合されたプロセッサ１１１４によって、復調されたシンボルが分析される。
【００６３】
プロセッサ１１１４は、例えば、受信機１１１０によって受信された情報の分析および／または送信機１１４２による送信のための情報の生成に専用のプロセッサ、中継器１１０２の１つまたは複数のコンポーネントを制御するプロセッサ、および／または受信機１１１０によって受信された情報を分析し、送信機１１４２による送信のための情報を生成し、中継器１１０２の１つまたは複数のコンポーネントを制御するプロセッサであり得る。さらに、プロセッサ１１１４は、本明細書で説明する１つまたは複数の機能を行うことができ、および／またはそのような目的のためのコンポーネントと通信できる。
【００６４】
メモリ１１１６は、説明したように、プロセッサ１１１４に動作可能に結合され、送信すべきデータ、受信されたデータ、利用可能なチャネルに関係する情報、分析された信号および／または干渉強度に関係するデータ、割り当てられたチャネル、電力、レートなどに関係する情報、並びにチャネルを推定し、そのチャネルにより通信するための他の適切な情報を記憶できる。メモリ１１１６は、さらに、中継器１１０２の自己干渉を緩和することに関連するプロトコルおよび／またはアルゴリズムを記憶できる。
【００６５】
本明細書で説明するデータストア（例えば、メモリ１１１６）は、揮発性メモリまたは不揮発性メモリのいずれかであり得るか、あるいは揮発性メモリと不揮発性メモリの両方を含むことができることを諒解されよう。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして動作するランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ(登録商標)）など、多くの形態が利用可能である。主題のシステムおよび方法のメモリ１１１６は、これらおよび他の適切なタイプのメモリを、それらに限定されることなく、備えるものとする。
【００６６】
プロセッサ１１１４は、さらに、随意に、デバイスリソース割振りコンポーネント２０８と同様であり得るデバイスリソース割振りコンポーネント１１１８、リソース割振り受信コンポーネント２１０と同様であり得るリソース割振り受信コンポーネント１１２０、リソース割振りネゴシエートコンポーネント２１２と同様であり得るリソース割振りネゴシエートコンポーネント１１２２、リソース割振り影響コンポーネント２１４と同様であり得るリソース割振り影響コンポーネント１１２４、および／または通信コンポーネント２１６、３１４、および４１４と同様であり得る通信コンポーネント１１２６に結合される。プロセッサ１１１４は、さらに、基準信号受信コンポーネント３０８と同様であり得る基準信号受信コンポーネント１１２８、データ復号コンポーネント３１０と同様であり得るデータ復号コンポーネント１１３０、基準信号パラメータ定義コンポーネント３１２と同様であり得る基準信号パラメータ定義コンポーネント１１３２、制御リソース受信コンポーネント４０８と同様であり得る制御リソース受信コンポーネント１１３４、制御データアグリゲートコンポーネント４１０と同様であり得る制御データアグリゲートコンポーネント１１３６、および／または制御リソース割振りコンポーネント４１２と同様であり得る制御リソース割振りコンポーネント１１３８に動作可能に結合され得る。
【００６７】
さらに、例えば、プロセッサ１１１４は、変調器１１４０を使用して送信されるべき信号を変調し、送信機１１４２を使用して被変調信号を送信できる。送信機１１４２は、Ｔｘアンテナ１１０８上で信号をモバイルデバイスまたは基地局１１０４に送信できる。さらに、プロセッサ１１１４とは別個のものとして図示されているが、デバイスリソース割振りコンポーネント１１１８、リソース割振り受信コンポーネント１１２０、リソース割振りネゴシエートコンポーネント１１２２、リソース割振り影響コンポーネント１１２４、通信コンポーネント１１２６、基準信号受信コンポーネント１１２８、データ復号コンポーネント１１３０、基準信号パラメータ定義コンポーネント１１３２、制御リソース受信コンポーネント１１３４、制御データアグリゲートコンポーネント１１３６、制御リソース割振りコンポーネント１１３８、復調器１１１２、および／または変調器１１４０は、プロセッサ１１１４または複数のプロセッサ（図示せず）の一部であり得、および／またはプロセッサ１１１４による実行のためのメモリ１１１６中の命令として記憶され得ることを諒解されたい。
【００６８】
図１２を参照すると、中継器自己干渉を緩和するようにダウンリンクリソースを選択するシステム１２００が示される。例えば、システム１２００は、少なくとも部分的に中継器内に常駐できる。システム１２００は機能ブロックを含むものとして表されており、その機能ブロックは、プロセッサ、ソフトウェア、ファームウェア、またはそれらの組合せによって実装される機能を表す機能ブロックであり得ることを諒解されたい。システム１２００は、連携して動作できるコンポーネント（例えば、電気的コンポーネント）の論理グルーピング１２０２を含む。例えば、論理グルーピング１２０２は、基地局から第１の信号を受信するための、サブフレーム上のキャリア内の複数のリソースの第１のセットの割振りを受信するための電気的コンポーネント（１２０４）を含むことができる。さらに、論理グルーピング１２０２は、デバイスと通信するための、リソースの第１のセットとの自己干渉を緩和する、サブフレーム上のキャリア内の複数のリソースの第２のセットを選択するための電気的コンポーネント（１２０６）を含むことができる。説明したように、例えば、これは、低いＣＱＩが示されるリソースのセットを選択することを含むことができる。
【００６９】
さらに、論理グルーピング１２０２は、複数のリソースの第２のセット上でデバイスへ第２の信号を送信するための電気的コンポーネント（１２０８）をも含むことができる。例えば、電気的コンポーネント１２０４は、上述したように、リソース割振り受信コンポーネント２１０を含むことができる。さらに、例えば、上述したように、電気的コンポーネント１２０６は、一態様では、デバイスリソース割振りコンポーネント２０８を含むことができる。さらに、電気的コンポーネント１２０８は、例えば、通信コンポーネント２１６、３１４、４１４などを含むことができる。
【００７０】
さらに、システム１２００は、コンポーネント１２０４、１２０６、および１２０８に関連する機能を実行するための命令を保持するメモリ１２１０を含むことができる。メモリ１２１０の外部にあるものとして示されるが、コンポーネント１２０４、１２０６、および１２０８のうちの１つまたは複数は、メモリ１２１０の内部に存在できることを理解されたい。一例では、コンポーネント１２０４、１２０６、および１２０８は、少なくとも１つのプロセッサを含むことができるか、または、各コンポーネント１２０４、１２０６、および１２０８は、少なくとも１つのプロセッサの対応するモジュールであり得る。さらに、追加または代替の例では、コンポーネント１２０４、１２０６、および１２０８は、コンピュータ可読媒体を備えるコンピュータプログラム製品であり得、各コンポーネント１２０４、１２０６、および１２０８は、対応するコードであり得る。
【００７１】
図１３を参照すると、中継器自己干渉を緩和するようにアップリンクリソースを選択するシステム１３００が示される。例えば、システム１３００は、少なくとも部分的に中継器内に常駐できる。システム１３００は機能ブロックを含むものとして表されており、その機能ブロックは、プロセッサ、ソフトウェア、ファームウェア、またはそれらの組合せによって実装される機能を表す機能ブロックであり得ることを諒解されたい。システム１３００は、連携して動作できるコンポーネント（例えば、電気的コンポーネント）の論理グルーピング１３０２を含む。例えば、論理グルーピング１３０２は、基地局に信号を送信するための、サブフレーム上のキャリア内の複数のリソースの第１のセットの割振りを基地局から受信するための電気的コンポーネント（１３０４）を含むことができる。さらに、論理グルーピング１３０２は、デバイスから信号を受信するための、リソースの第１のセットとの自己干渉を緩和する、サブフレーム上のキャリア内の複数のリソースの第２のセットを選択し、リソースの第２のセットをデバイスに割り振るための電気的コンポーネント（１３０６）を含むことができる。
【００７２】
説明したように、例えば、電気的コンポーネント１３０６は、低いまたはミュートされた電力でのＳＲＳが基地局に送信されるリソースのセットであるように複数のリソースの第２のセットを選択できる。別の例において、電気的コンポーネント１３０６は、制御領域のオーバープロビジョニングされた部分からリソースの第２のセットを選択できる。例えば、電気的コンポーネント１３０４は、リソース割振り受信コンポーネント２１０、制御リソース受信コンポーネント４０８などを含むことができる。さらに、例えば、電気的コンポーネント１３０６は、一態様では、例えば、デバイスリソース割振りコンポーネント２０８、制御リソース割振りコンポーネント４１２などを含むことができる。
【００７３】
さらに、システム１３００は、コンポーネント１３０４および１３０６に関連する機能を実行するための複数の命令を保持するメモリ１３０８を含むことができる。メモリ１３０８の外部にあるものとして示されるが、コンポーネント１３０４および１３０６のうちの１つまたは複数は、メモリ１３０８の内部に存在できることを理解されたい。一例では、コンポーネント１３０４および１３０６は、少なくとも１つのプロセッサを含むことができるか、または、各コンポーネント１３０４および１３０６は、少なくとも１つのプロセッサの対応するモジュールであり得る。さらに、追加または代替の例では、コンポーネント１３０４および１３０６は、コンピュータ可読媒体を備えるコンピュータプログラム製品であり得、各コンポーネント１３０４および１３０６は、対応するコードであり得る。
【００７４】
次に図１４を参照すると、本明細書で提示する様々な実施形態によるワイヤレス通信システム１４００が示される。システム１４００は、複数のアンテナグループを含むことができる基地局１４０２を含む。例えば、１つのアンテナグループはアンテナ１４０４および１４０６を含み、別のグループはアンテナ１４０８および１４１０を含み、さらなるグループはアンテナ１４１２および１４１４を含むことができる。アンテナグループごとに２つのアンテナが示されているが、グループごとにより多いまたはより少ないアンテナが利用され得る。基地局１４０２は、さらに、送信機チェーンおよび受信機チェーンを含むことができ、送信機チェーンおよび受信機チェーンの各々は、諒解されるように、信号送信および受信に関連する複数のコンポーネント（例えば、プロセッサ、変調器、マルチプレクサ、復調器、デマルチプレクサ、アンテナなど）を含むことができる。
【００７５】
基地局１４０２は、モバイルデバイス１４１６およびモバイルデバイス１４２２など１つまたは複数のモバイルデバイスと通信できるが、基地局１４０２は、モバイルデバイス１４１６および１４２２と同様の実質的にいかなる数のモバイルデバイスとも通信できることを諒解されたい。モバイルデバイス１４１６および１４２２は、例えば、セルラー電話、スマートフォン、ラップトップ、ハンドヘルド通信デバイス、ハンドヘルドコンピューティングデバイス、衛星ラジオ、測位システム（例えば、ＧＰＳ）、ＰＤＡ、タブレット、スマートブック、ネットブック、および／またはワイヤレス通信システム１４００を介して通信するための他の適切なデバイスであり得る。図示のように、モバイルデバイス１４１６は、アンテナ１４１２および１４１４と通信しており、アンテナ１４１２および１４１４は、順方向リンク１４１８を介して情報をモバイルデバイス１４１６に送信し、逆方向リンク１４２０を介してモバイルデバイス１４１６から情報を受信する。さらに、モバイルデバイス１４２２はアンテナ１４０４および１４０６と通信しており、アンテナ１４０４および１４０６は、順方向リンク１４２４を介して情報をモバイルデバイス１４２２に送信し、逆方向リンク１４２６を介してモバイルデバイス１４２２から情報を受信する。周波数分割複信（ＦＤＤ）システムでは、例えば、順方向リンク１４１８は、逆方向リンク１４２０によって使用される周波数帯域とは異なる周波数帯域を利用し、順方向リンク１４２４は、逆方向リンク１４２６によって採用される周波数帯域とは異なる周波数帯域を採用できる。さらに、時分割複信（ＴＤＤ）システムでは、順方向リンク１４１８および逆方向リンク１４２０は共通の周波数帯を利用し、順方向リンク１４２４および逆方向リンク１４２６は共通の周波数帯を利用できる。
【００７６】
アンテナの各グループおよび／またはそれらが通信するように指定されたエリアは、基地局１４０２のセクタと呼ばれることがある。例えば、基地局１４０２によってカバーされるエリアのセクタ中のモバイルデバイスに通信するようにアンテナグループを設計できる。順方向リンク１４１８および１４２４を介した通信では、基地局１４０２の送信アンテナは、モバイルデバイス１４１６および１４２２についての順方向リンク１４１８および１４２４の信号対雑音比を向上させるためにビームフォーミングを利用できる。さらに、基地局１４０２が、関連するカバレージエリア中に不規則に散在するモバイルデバイス１４１６および１４２２に送信するためにビームフォーミングを利用する間は、基地局が単一のアンテナを介してその基地局のすべてのモバイルデバイスへ送信する場合と比較して、隣接セル内のモバイルデバイスは干渉を受けにくい。さらに、モバイルデバイス１４１６および１４２２は、ピアツーピアまたはアドホック技術を使用して互いに直接通信できる。一例によれば、システム１４００は多入力多出力（ＭＩＭＯ）通信システムであり得る。
【００７７】
さらに、システム１４００は、基地局１４０２から信号を受信し、その信号をモバイルデバイス１４１６に送信すること、および／またはその逆を可能にできる中継器１４２８を含む。例えば、中継器１４２８は、順方向リンク１４３０上で基地局１４０２から信号を受信でき、その信号を順方向リンク１４３２上でモバイルデバイス１４１６に送信できる。従って、例えば、モバイルデバイス１４１６は、順方向リンク１４１８および／または１４３２上で基地局１４０２に関係する信号を受信できる。別の例では、中継器１４２８は、逆方向リンク１４３４上でモバイルデバイス１４１６から信号を受信でき、その信号を逆方向リンク１４３６上で基地局１４０２に同様に送信できる。中継器１４２８は、本明細書で説明するように、自己干渉を緩和できる。
【００７８】
図１５は、例示的なワイヤレス通信システム１５００を示す。ワイヤレス通信システム１５００には、簡潔のために、１つの基地局１５１０と、１つのモバイルデバイス１５５０とが示される。ただし、システム１５００は、２つ以上の基地局および／または２つ以上のモバイルデバイスを含むことができ、追加の基地局および／またはモバイルデバイスは、以下で説明する例示的な基地局１５１０およびモバイルデバイス１５５０と実質的に同様または異なるものであり得ることを諒解されたい。さらに、基地局１５１０および／またはモバイルデバイス１５５０は、それらの間のワイヤレス通信を可能にするために、本明細書で説明するシステム（例えば、図１〜図４および図１１〜図１４）および／または方法（例えば、図５〜図１０）を採用できることを諒解されたい。例えば、本願明細書で説明するシステムのコンポーネントまたは機能並びに／あるいは方法は、メモリ１５３２および／または１５７２の一部、並びに／あるいは以下で説明するプロセッサ１５３０および／または１５７０であり得、並びに／あるいは開示する機能を行うために、プロセッサ１５３０および／または１５７０によって実行され得る。
【００７９】
基地局１５１０において、いくつかのデータストリームのトラフィックデータがデータソース１５１２から送信（ＴＸ）データプロセッサ１５１４に与えられる。一例によれば、各データストリームはそれぞれのアンテナを介して送信され得る。ＴＸデータプロセッサ１５１４は、トラフィックデータストリーム用に選択された特定の符号化方式に基づいて、そのデータストリームをフォーマット化し、符号化し、インターリーブして、符号化データを与える。
【００８０】
各データストリームの符号化データは、直交周波数分割多重化（ＯＦＤＭ）技法を使用してパイロットデータで多重化され得る。追加または代替として、パイロットシンボルは、周波数分割多重化（ＦＤＭ）、時分割多重化（ＴＤＭ）、または符号分割多重化（ＣＤＭ）され得る。パイロットデータは、一般に、既知の方法で処理される既知のデータパターンであり、チャネル応答を推定するためにモバイルデバイス１５５０で使用され得る。各データストリームの多重化されたパイロットおよび符号化データは、そのデータストリーム用に選択された特定の変調方式（例えば、２位相シフトキーイング（ＢＰＳＫ）、４位相シフトキーイング（ＱＰＳＫ）、Ｍ位相シフトキーイング（Ｍ−ＰＳＫ）、多値直交振幅変調（Ｍ−ＱＡＭ）など）に基づいて変調（例えば、シンボルマッピング）され得、変調シンボルを与えることができる。各データストリームのデータレート、符号化、および変調は、プロセッサ１５３０によって行われるかまたは与えられる命令によって判断され得る。
【００８１】
データストリームの変調シンボルはＴＸ  ＭＩＭＯプロセッサ１５２０に与えられ得、ＴＸ  ＭＩＭＯプロセッサ１５２０は（例えば、ＯＦＤＭ用に）変調シンボルをさらに処理できる。次いで、ＴＸ  ＭＩＭＯプロセッサ１５２０は、ＮT個の変調シンボルストリームをＮT個の送信機（ＴＭＴＲ）１５２２ａ〜１５２２ｔに与える。様々な実施形態では、ＴＸ  ＭＩＭＯプロセッサ１５２０は、データストリームのシンボルと、シンボルの送信元であるアンテナとにビームフォーミング重みを適用する。
【００８２】
各送信機１５２２は、それぞれのシンボルストリームを受信し、処理して、１つまたは複数のアナログ信号を与え、さらに、それらのアナログ信号を調整（例えば、増幅、フィルタ処理、およびアップコンバート）して、ＭＩＭＯチャネルを介して送信するのに適した被変調信号を与える。さらに、送信機１５２２ａ〜１５２２ｔからのＮT個の被変調信号が、ＮT個のアンテナ１５２４ａ〜１５２４ｔからそれぞれ送信される。
【００８３】
モバイルデバイス１５５０において、送信された被変調信号はＮR個のアンテナ１５５２ａ〜１５５２ｒによって受信され、各アンテナ１５５２からの受信信号は、それぞれの受信機（ＲＣＶＲ）１５５４ａ〜１５５４ｒに与えられる。各受信機１５５４は、それぞれの信号を調整（例えば、フィルタ処理、増幅、およびダウンコンバート）し、調整された信号をデジタル化してサンプルを与え、さらに、それらのサンプルを処理して、対応する「受信」シンボルストリームを与える。
【００８４】
ＲＸデータプロセッサ１５６０は、特定の受信機処理技法に基づいてＮR個の受信機１５５４からＮR個の受信シンボルストリームを受信し、処理して、ＮT個の「検出」シンボルストリームを与えることができる。ＲＸデータプロセッサ１５６０は、各検出シンボルストリームを復調し、デインターリーブし、復号して、データストリームのトラフィックデータを復元できる。ＲＸデータプロセッサ１５６０による処理は、基地局１５１０でＴＸ  ＭＩＭＯプロセッサ１５２０およびＴＸデータプロセッサ１５１４によって行われる処理を補足するものである。
【００８５】
逆方向リンクメッセージは、通信リンクおよび／または受信データストリームに関する様々なタイプの情報を備えることができる。逆方向リンクメッセージは、データソース１５３６からいくつかのデータストリームのトラフィックデータをも受信するＴＸデータプロセッサ１５３８によって処理され、変調器１５８０によって変調され、送信機１５５４ａ〜１５５４ｒによって調整され、基地局１５１０に戻される。
【００８６】
基地局１５１０において、モバイルデバイス１５５０からの被変調信号は、アンテナ１５２４によって受信され、受信機１５２２によって調整され、復調器１５４０によって復調され、ＲＸデータプロセッサ１５４２によって処理されて、モバイルデバイス１５５０によって送信された逆方向リンクメッセージが抽出される。さらに、プロセッサ１５３０は、抽出されたメッセージを処理して、ビームフォーミング重みを判断するためにどのプリコーディング行列を使用すべきかを判断できる。
【００８７】
プロセッサ１５３０および１５７０は、それぞれ基地局１５１０およびモバイルデバイス１５５０での動作を指示（例えば、制御、調整、管理など）できる。それぞれのプロセッサ１５３０および１５７０は、プログラムコードおよびデータを記憶するメモリ１５３２および１５７２に結合され得る。別の例では、基地局１５１０の部分とデバイス１５５０の部分とが、本明細書で説明する機能を与えるために中継器内に実装され得る。従って、例えば、プロセッサ１５３０および１５７０はまた、説明したように、中継器自己干渉を緩和するための動作を行える。
【００８８】
本明細書で開示した実施形態に関して説明した様々な例示的な論理、論理ブロック、モジュール、コンポーネント、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェアコンポーネント、あるいは本明細書で説明した機能を行うように設計されたそれらの任意の組合せを用いて実装または実践され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、例えば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上述したステップおよび／またはアクションのうちの１つまたは複数を行うように動作可能な１つまたは複数のモジュールを備え得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの態様では、プロセッサおよび記憶媒体はＡＳＩＣ中に常駐し得る。さらに、ＡＳＩＣはユーザ端末中に常駐し得る。代替として、プロセッサおよび記憶媒体は、ユーザ端末中に個別コンポーネントとして常駐し得る。
【００８９】
１つまたは複数の態様では、説明した機能、方法、またはアルゴリズムは、ハードウェア、ソフトウェア、ファームウェア、またはそれらの任意の組合せで実装され得る。ソフトウェア／ファームウェアで実装する場合、機能は、１つまたは複数の命令またはコードとして、コンピュータプログラム製品に組み込まれ得る、コンピュータ可読媒体上に記憶されるか、あるいはコンピュータ可読媒体上で送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、実質的にいかなる接続もコンピュータ可読媒体と呼ばれることがある。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【００９０】
上記の開示は、例示的な態様および／または実施形態について論じたが、添付の特許請求の範囲によって定義された記載の態様および／または実施形態の範囲から逸脱することなく、様々な変更および改変を本明細書で行うことができることに留意されたい。さらに、記載の態様および／または実施形態の要素は、単数形で説明または請求されることがあるが、単数形に限定することが明示的に述べられていない限り、複数形が企図される。さらに、任意の態様および／または実施形態の全部または一部は、別段に記載されていない限り、任意の他の態様および／または実施形態の全部または一部とともに利用され得る。
【図１】
2013542642.tif 000003
【図２】
2013542642.tif 000004
【図３】
2013542642.tif 000005
【図４】
2013542642.tif 000006
【図５】
2013542642.tif 000007
【図６】
2013542642.tif 000008
【図７】
2013542642.tif 000009
【図８】
2013542642.tif 000010
【図９】
2013542642.tif 000011
【図１０】
2013542642.tif 000012
【図１１】
2013542642.tif 000013
【図１２】
2013542642.tif 000014
【図１３】
2013542642.tif 000015
【図１４】
2013542642.tif 000016
【図１５】
2013542642.tif 000017
【国際調査報告】
2013542642.tif 000018
2013542642.tif 000019
2013542642.tif 000020